(57)【特許請求の範囲】
【請求項１】
樹脂材で成形され、外周面側に記録テープが巻回される有底円筒状のハブと、
前記ハブの端部に設けられたフランジと、
前記ハブの内周面側にインサート成形により設けられた金属製のリング状部材と、
前記ハブの底部に形成され、前記リング状部材の下端側内周縁に接する爪部と、
を備えたことを特徴とするリール。
【請求項２】
前記リング状部材は、前記ハブの上面から所定長さ下がった位置に、該リング状部材の上面が来るような高さに形成され、前記ハブの上端部に設けられたフランジに、前記リング状部材の上面に当接するボスが形成されていることを特徴とする請求項１に記載のリール。
【発明の詳細な説明】
【技術分野】
【０００１】
本発明は、コンピューター等のデータ保存用として使用される磁気テープ等の記録テープが巻回されるリールに関する。
【背景技術】
【０００２】
従来、コンピューター等の外部記憶装置に用いられる記録媒体として使用されている記録テープカートリッジは、記録テープカートリッジ内に磁気テープ等の記録テープが巻回された単一のリールが回転可能に収容されたタイプのものが知られている（例えば、特許文献１参照）。磁気テープはコンピューター等のデータ保存用として用いられ、重要な情報が記録されているため、テープジャミング等のトラブルが発生しないように、また、保管時等の不使用時には、不用意に磁気テープが引き出されないように構成されている。
【０００３】
このような記録テープカートリッジは、最近では記録できる容量が数十ＧＢから数百ＧＢへと高容量化されている。この容量化を実現するためには、トラックピッチ幅を狭くしたり、磁気テープの厚みを薄くしたりするが、それによって、記録テープカートリッジ自体にも高い寸法精度が要求される。特に磁気テープが巻回されるリールの寸法形状には高精度が要求される。
【先行技術文献】
【特許文献】
【０００４】
【特許文献１】特開平１１−３５３８５１号公報
【発明の概要】
【発明が解決しようとする課題】
【０００５】
しかしながら、リールは、磁気テープが巻回される円筒状のハブも、そのハブの上下両端部に設けられて、ハブに巻回された磁気テープの幅方向端部を保持する上下フランジも、共に樹脂材で成形されているため、輸送時の温度・湿度変化により、僅かな変形が生じることがある。このような変形が特にハブに起きると、磁気テープのかなりの部分に、それによる悪影響、即ち磁気テープ自体に、その変形に伴った癖が付いてしまうという問題が発生する。
【０００６】
そこで、本発明は、上記事情に鑑み、温度・湿度等の環境の変化によらず、ハブの寸法形状を高精度に維持することができるリールを得ることを目的とする。
【課題を解決するための手段】
【０００７】
上記の目的を達成するために、本発明に係る請求項１に記載のリールは、樹脂材で成形され、外周面側に記録テープが巻回される有底円筒状のハブと、前記ハブの端部に設けられたフランジと、前記ハブの内周面側にインサート成形により設けられた金属製のリング状部材と、前記ハブの底部に形成され、前記リング状部材の下端側内周縁に接する爪部と、を備えたことを特徴としている。
【０００８】
請求項１に記載の発明によれば、インサート成形により樹脂製のハブの内周面側に金属製のリング状部材が設けられ、そのリング状部材の下端側内周縁に接する爪部がハブの底部に形成されているので、そのリング状部材はハブに安定して取着される。したがって、温度・湿度等の環境の変化により、樹脂製のハブが変形しようとしても、そのリング状部材により、ハブの変形が抑制される。また、同様に、温度・湿度等の環境の変化により、記録テープが巻き締まり方向へ収縮しても、ハブの強度がリング状部材によって向上されているので、その収縮による変形も抑制される。よって、寸法精度を高精度に維持できるハブを得ることができ、それに巻回される記録テープに悪影響を及ぼさないようにできる。
【０００９】
また、請求項２に記載のリールは、請求項１に記載のリールにおいて、前記リング状部材が、前記ハブの上面から所定長さ下がった位置に、該リング状部材の上面が来るような高さに形成され、前記ハブの上端部に設けられたフランジに、前記リング状部材の上面に当接するボスが形成されていることを特徴としている。
【００１０】
請求項２に記載の発明によれば、リング状部材の上面にフランジのボスが当接する構成とされているので、寸法精度の高いリールが得られる。
【００１１】
なお、樹脂材で成形され、外周面側に記録テープが巻回される円筒状のハブと、ハブの端部に設けられたフランジと、ハブ内にインサート成形により埋設された金属製のリング状部材と、を備えたリールにおいて、リング状部材の上端部を、ハブの上面から突出させるとよい。
【００１２】
これによれば、成形時に、リング状部材の上端部を金型に位置決めして固定することができる。したがって、そのリング状部材は安定して保持され、温度・湿度等の環境の変化により、樹脂製のハブが変形しようとしても、そのリング状部材により、ハブの変形が抑制される。また、同様に、温度・湿度等の環境の変化により、記録テープが巻き締まり方向へ収縮しても、ハブの強度がリング状部材によって向上されているので、その収縮による変形も抑制される。よって、寸法精度を高精度に維持できるハブを得ることができ、それに巻回される記録テープに悪影響を及ぼさないようにできる。
【発明の効果】
【００１３】
以上のように、本発明によれば、ハブにインサート成形によって設けられた金属製のリング状部材により、ハブの強度が向上され、その変形が抑制される。したがって、寸法精度の高いハブを得ることができ、それに巻回される記録テープに悪影響を及ぼさないようにできる。
【図面の簡単な説明】
【００１４】
【図１】本発明に係るリールを備えた磁気テープカートリッジの分解斜視図
【図２】本発明に係るリールと制動部材と上ケースを下方から見た斜視図
【図３】本発明に係るリールを備えた磁気テープカートリッジとドライブ側駆動装置の側断面図
【図４】本発明に係るリールの分解側断面図
【図５】本発明に係るリールのリールハブと下フランジを成形する金型を示す概略側断面図
【図６】（Ａ）リールの変形例を示す概略側断面図、（Ｂ）リールの変形例を示す概略側断面図
【図７】（Ａ）図６（Ａ）のリールを成形する金型の要部を示す概略側断面図、（Ｂ）図６（Ｂ）のリールを成形する金型の要部を示す概略側断面図
【発明を実施するための形態】
【００１５】
以下、本発明の実施の形態に係るリールを、図面に示す実施例を基に説明する。なお、本発明に係るリールは、単一でケース内に収容される１リールタイプでも、一対でケース内に収容される２リールタイプでも適用できるが、ここでは、１リールタイプの記録テープカートリッジを例に採って説明する。また、その説明の便宜上、記録テープカートリッジのドライブ装置への装填方向を前方向とし、それを基準に前後・左右・上下の表現をする。更に、記録テープとして磁気テープを採用し、以下、磁気テープカートリッジ１０として説明をする。
【００１６】
まず、最初に、磁気テープカートリッジ１０の全体構成について説明する。図１〜図３で示すように、磁気テープカートリッジ１０は、合成樹脂製の上ケース２０と下ケース３０とを備え、互いにその周壁２２、３２が超音波溶着等によって溶着されることにより、略矩形箱状に形成されてなる。上ケース２０及び下ケース３０の内面には、それぞれ遊動規制壁２４、３４が立設されており、遊動規制壁２４、３４の内径は、リール５０の上フランジ５２及び下フランジ５４の外径よりも若干大きく形成されて、リール５０が回動可能に収容されるようになっている。
【００１７】
また、上ケース２０の遊動規制壁２４と周壁２２との間には、複数のリブ２３が設けられており、下ケース３０の遊動規制壁３４と周壁３２との間にも、複数のリブ３３が設けられている。このリブ２３、３３によって、遊動規制壁２４、３４と周壁２２、３２とをそれぞれ連結して、遊動規制壁２４、３４及び周壁２２、３２の強化を図っている。
【００１８】
リール５０は、合成樹脂製の有底円筒状のリールハブ５６と、リールハブ５６の両端部に設けられた上フランジ５２及び下フランジ５４とで構成されており、リールハブ５６の外周面側に巻回された情報記録再生媒体としての磁気テープ１２の幅方向の端部を上フランジ５２及び下フランジ５４で保持するようになっている。
【００１９】
リールハブ５６の下フランジ５４側には、中央に孔部５８Ａが形成された底壁（底部）５８が設けられており、その底壁５８の下面側には、環状のリールギア６０が底壁５８から突出するように形成されている。このリールギア６０は、下ケース３０の中央に設けられた円形の開孔３８から現出可能となっており、ドライブ装置６８に備えられた駆動ギア６２と噛合して、リール５０に回転力を伝達するようになっている。
【００２０】
また、リールギア６０の径方向内側には、環状の金属プレート４８が一体的に設けられており、ドライブ装置６８に備えられたマグネット（図示省略）に磁着されて軸ズレが防止されるとともに、リールギア６０と駆動ギア６２との噛合状態を保持可能としている。一方、リールギア６０の径方向外側には、環状溝４６が設けられており、その環状溝４６内に、開孔３８の周縁部に立設されたリブ３６が挿入されることにより、リール５０が下ケース３０に対して位置決めされるようになっている。
【００２１】
また、リールハブ５６の底壁５８の上面側には、環状のリールギア７０が形成されており、リールハブ５６内に収容可能な略円板状の制動部材８０の下面外周部に設けられた制動ギア８２と噛合可能となっている。制動部材８０の上面には、平面視にて略Ｕ字状をなすリブ（以下、「Ｕ字状リブ」という）８４が開放側を対向させて立設している。一方、上ケース２０の内面中央には、一対の係止ピン２６が垂設されており、Ｕ字状リブ８４と係合可能になっている。
【００２２】
また、制動部材８０のＵ字状リブ８４の外側には、環状溝８６が設けられ、上ケース２０の係止ピン２６の外側には、環状突起２８が突設されている。そして、その環状突起２８と環状溝８６との間でスプリング１６が保持されることにより、制動部材８０と上ケース２０との間にスプリング１６が装着されるようになっている。
【００２３】
したがって、磁気テープカートリッジ１０の不使用時には、係止ピン２６がＵ字状リブ８４に挿入して、その回動を阻止し、回動が阻止された制動部材８０の制動ギア８２は、リールギア７０側へ向かって付勢されて、リールハブ５６内のリールギア７０と強固に噛合する。これにより、リール５０は、その不用意な回転が防止される。
【００２４】
一方、制動部材８０の下面中央には、孔部５８Ａに挿通可能な略円柱状の突起８８が突設されており、リールギア６０が駆動ギア６２と噛合してリール５０に回転力が伝達される前に、ドライブ装置６８に備えられた回転シャフト６６の先端部に設けられた噛合解除ピン６４が突起８８に当接し、制動部材８０をスプリング１６の付勢力に抗して上方へ押し上げ、制動ギア８２とリールギア７０との噛合を解除する。これにより、リール５０が回転可能となる。
【００２５】
また、磁気テープ１２の先端部には、リーダーブロック４０が、その凹部４２に弾性ピン１４が磁気テープ１２の先端と共に嵌め込まれることにより取り付けられている。そして、上ケース２０の周壁２２、及び下ケース３０の周壁３２の右前角部には、開口部１８、１９がそれぞれ形成されている。
【００２６】
この開口部１８、１９は、リール５０に巻回された磁気テープ１２を外部へ引き出すためのものであり、リーダーブロック４０の先端に形成された係合部４４にドライブ装置側に設けられた図示しない引抜ピンが係合して、リーダーブロック４０を開口部１８、１９から引き出し、ドライブ装置に備えられた巻取リール（図示省略）に嵌着するようになっている。
【００２７】
そして、その後、リール５０と巻取リールとが同期して回転駆動することにより、磁気テープ１２を順次巻取リールに巻き取りながら、その磁気テープ１２へデータの記録又はその磁気テープ１２に記録されたデータの再生が行われるようになっている。また、磁気テープカートリッジ１０の不使用時には、リーダーブロック４０は開口部１８、１９の周縁に係止され、開口部１８、１９を閉塞する構成になっている。
【００２８】
次に、本発明に係るリール５０について、更に詳細に説明する。なお、前述した内容と重複する部分については、説明を省略する。
【００２９】
図３、図４で示すように、リール５０を構成するリールハブ５６と下フランジ５４とは樹脂材で一体成形されており、リールハブ５６の上面５６Ａには、断面が略三角状の超音波溶着用の溶着しろ７２が突設されている。この溶着しろ７２の頂部には上フランジ５２が載置され、この状態で、超音波によって溶着しろ７２を溶融させることにより、リールハブ５６の上面５６Ａに上フランジ５２が溶着され、リール５０が形成される。
【００３０】
リールハブ５６と上フランジ５２は、互いに相溶性がある樹脂材を用いて成形されており、これにより、超音波でリールハブ５６と上フランジ５２とを溶着させることができる。なお。樹脂材の種類としては、例えば、ＰＭＭＡとＡＢＳ、ＡＳとＡＢＳ、ＰＣとＰＣ等の組み合わせが挙げられる。
【００３１】
また、上記したように、リールギア６０の径方向内側には、金属プレート４８が設けられている。この金属プレート４８は、図５で示すように、リールハブ５６及び下フランジ５４を成形する金型９０にインサートされて一体成形される。金型９０には固定側型板９２及び可動側型板９４が備えられており、固定側型板９２に金属プレート４８を固定した状態で、金型９０を型締めし、固定側型板９２及び可動側型板９４で構成されるキャビティ９８内に成形材料（樹脂材）を充填させる。
【００３２】
ここで、金属プレート４８の一端側（下面側）には、環状凹部４７が設けられており、金属プレート４８を固定側型板９２に装着するとき、固定側型板９２に形成された環状凸部９６に環状凹部４７を嵌め込んで、金属プレート４８を固定側型板９２に位置決めして固定する。また、金属プレート４８の一端側（下面側）の周縁部には、被食付部としての環状のテーパー部４９が設けられている。
【００３３】
更に、金属プレート４８を固定側型板９２に装着した状態で、金属プレート４８のテーパー部４９と固定側型板９２との間には隙間が設けられており、成形時に、この隙間に成型材料（樹脂材）を流し込むことにより、リールハブ５６に、金属プレート４８の外周縁に食付く食付部としての環状の爪部５９が形成されるようになっている。
【００３４】
この爪部５９を金属プレート４８のテーパー部４９に食付かせることで、金属プレート４８がリールハブ５６及び下フランジ５４と一体になるが、金属プレート４８と、リールハブ５６及び下フランジ５４とを、インサート成形により一体化できる構成であれば、どのような構成にしてもよく、図示のものに限定されるものではない。
【００３５】
また、リールハブ５６の内周面側にも、金属製の筒型のリング状部材（以下「金属リング」という）７４がインサート成形により一体的に設けられる。この金属リング７４の材質は、リールハブ５６に使用する樹脂材やリールハブ５６の厚さなどの形状に応じて適宜選択可能であるが、非磁性のステンレス材であることが特に好ましい。
【００３６】
また、この金属リング７４の外周面は、樹脂材が絡み付けられる粗面又はローレット面になっており、図５で示すように、可動側型板９４に金属リング７４を嵌着した後、金型９０を型締めして、キャビティ９８内に成形材料（樹脂材）を充填することにより、金属リング７４の外周面とリールハブ５６の内周面とを接着できるようになっている。
【００３７】
なお、可動側型板９４に金属リング７４を嵌着した際、その金属リング７４の下端側内周縁と可動側型板９４との間には隙間Ｓが形成されるようになっており、成形時に、この隙間Ｓに成形材料（樹脂材）が流れ込むことにより、金属リング７４の下端側内周縁に密接する環状の爪部７６が底壁５８に形成されるようになっている。これにより、金属リング７４は、更に安定してリールハブ５６に取着される構成である。
【００３８】
こうして、金属リング７４が、上記した金属プレート４８と同様に、リールハブ５６に一体に設けられるが、図３〜図５で示す金属リング７４は、リールハブ５６の内周面にその外周面が接着されることにより、その内周面がリールハブ５６の径方向内側に露出する。したがって、この場合の金属リング７４の内周面は、滑らかな面状に形成されることが望ましい。
【００３９】
また、この金属リング７４の上面７４Ｂはリールハブ５６の上面５６Ａから所定長さ下がった位置に来るような高さに構成されている。そして、上フランジ５２の内周縁部には、その所定長さと同じ高さのボス５２Ａが下方へ向けて形成されており、上フランジ５２を溶着しろ７２の頂部に載置させると、そのボス５２Ａが、リールハブ５６の内周面と係合する（接する）ようになっている。したがって、この状態で、上フランジ５２がリールハブ５６の上面５６Ａに超音波溶着によって溶着されると、ボス５２Ａの下面５２Ｂと金属リング７４の上面７４Ｂとが当接し、寸法精度の高いリール５０が得られることになる。
【００４０】
また、金属リング７４をリールハブ５６の内周面側へ露出させるインサート成形ではなく、図６で示すように、金属リング７４をリールハブ５６内に埋設するようなインサート成形にしてもよい。すなわち、この場合は、金属リング７４の外周面及び内周面の少なくともどちらか一方を粗面又はローレット面にするとともに、図７で示すように、可動側型板９４に金属リング７４の上端部７４Ａを保持する環状凹部７８を設けて、成形時にその金属リング７４が安定するように、金属リング７４を位置決めして固定できるようにする。
【００４１】
このような構成にすれば、リールハブ５６の肉厚方向略中央部分に金属リング７４が埋設されたものが成形され、かつ、その上部は、図６（Ｂ）で示すように、金属リング７４の径方向内側におけるリールハブ５６の上面５６Ｂ及び金属リング７４の径方向外側におけるリールハブ５６の上面５６Ｃから、金属リング７４の上端部７４Ａが若干突出するように成形される。
【００４２】
つまり、金属リング７４は、その上端部７４Ａを除いてリールハブ５６に埋設され、その上端部７４Ａ以外は外部へ露出しないようになっている。なお、このとき、図６（Ａ）で示すように、リールハブ５６の上面５６Ｃの外周面側における一部５６Ｄが、金属リング７４の上面７４Ｂと同一高さになるように成形してもよい。また、図６（Ａ）、図６（Ｂ）のどちらの場合でも、上フランジ５２のボス５２Ａの形状等が適宜設計変更されることは言うまでもない。
【００４３】
以上、何れにしても、金属リング７４がリールハブ５６に一体的に設けられると、リールハブ５６の強度を向上させることができる。すなわち、金属は樹脂と比較して、線膨張係数が低く、ほとんど変形することがないため、温度や湿度等の環境の変化によって、樹脂製のリールハブ５６自体が変形したり、磁気テープ１２が巻き締まり方向へ収縮して、そのリールハブ５６を変形させようとしても、リールハブ５６に一体成形された金属リング７４により、その変形を抑制することができる。
【００４４】
したがって、寸法精度の高いリールハブ５６を得ることができ、そのリールハブ５６の外周面側に巻回される磁気テープ１２に悪影響を及ぼさないようにできる。しかも、この金属リング７４は、リールハブ５６の内周面側へ露出するか、又はその肉厚方向の略中央部分に埋め込まれるようにして設けられるので、温度が高いときに、金属リング７４の温度低下に時間がかかることによる悪影響が、磁気テープ１２に及ぶことがない。
【符号の説明】
【００４５】
１０  磁気テープカートリッジ
５０  リール
５２  上フランジ（フランジ）
５２Ａ  ボス
５４  下フランジ（フランジ）
５６  リールハブ（ハブ）
５８  底壁（底部）
７４  金属リング（リング状部材）
７６  爪部
９０  金型
【図１】
0004694638.tif 000002
【図２】
0004694638.tif 000003
【図３】
0004694638.tif 000004
【図４】
0004694638.tif 000005
【図５】
0004694638.tif 000006
【図６】
0004694638.tif 000007
【図７】
0004694638.tif 000008